【事件の表示】
　特願２０００−６１９３９７「蛍光増白剤を含む化粧品組成物」拒絶査定不服審判事件〔平成１２年１１月３０日国際公開、ＷＯ００／７１０８５、平成１５年　１月　７日国内公表、特表２００３−５００３４４〕について、次のとおり審決する。
【結　論】
　本件審判の請求は、成り立たない。
【理　由】
１．手続の経緯
　本願は、平成１２年５月２３日（パリ条約に基づく優先権主張外国庁受理　１９９９年５月２６日，米国）を国際出願日とする出願であって、最初の拒絶理由通知に応答して平成１５年１０月１日付けで手続補正がなされたが、平成１７年１１月１７日付で拒絶査定がなされ、これに対し、平成１８年２月２０日に拒絶査定に対する審判が請求されるとともに、平成１８年３月２２日付で手続補正がなされたものであり、その後、前置報告書を用いた審尋に応答して、平成２１年４月２３日付けで回答書が提出された。
　
２．平成１８年３月２２日付けの手続補正についての補正却下の決定
［補正却下の決定の結論］
　　平成１８年３月２２日付けの手続補正（以下、「本件補正」という。）を却下する。
　
［理由］
（１）補正の概略
　本件補正により、特許請求の範囲は、
　
補正前
　「【請求項１】　皮膚の暗い陰影またはすじの出現を減らすこと、皮膚に色艶を与えること、加齢または光により老化した皮膚の外観を改善すること、皮膚の酒さの症状の出現を減らすことから選ばれる使用のための、化粧上許容可能なビヒクルとともに蛍光を発するのに有効量の少なくとも１種の蛍光増白剤を含んでなる、皮膚に塗布するための皮膚の色調または無色の化粧品組成物であって、前記蛍光増白剤が、スチルベンおよび４，４’−ジアミノスチルベンの誘導体；ベンゼンおよびビフェニルの誘導体；ピラゾリン類、ビス（ベンゾオキサゾール−２−イル）の誘導体、クマリン類、カルボスチリル類、ナフタルイミド類、ｓ−トリアジン類、並びにピリドトリアゾール類からなる群から選ばれる有機化合物である前記組成物。
　【請求項２】　皮膚の暗い陰影またはすじの出現を減らすこと、皮膚に色艶を与えること、加齢または光により老化した皮膚の外観を改善すること、皮膚の酒さの症状の出現を減らすことから選ばれる使用のための、化粧上許容可能なビヒクルとともに蛍光を発するのに有効量の少なくとも１種の蛍光増白剤を含んでなる、皮膚に塗布するための皮膚の色調または無色の化粧品組成物であって、前記蛍光増白剤が無機蛍光ガラスである前記組成物。
　【請求項３】　前記蛍光増白剤が緑色または青色の蛍光を示す請求項１に記載の組成物。
　【請求項４】　無色化粧品である請求項１に記載の組成物。
　【請求項５】　着色化粧品である請求項１に記載の組成物。
　【請求項６】　ファンデーション、ブラッシュまたはフェイシャルパウダーである請求項５に記載の組成物。
　【請求項７】　皮膚の暗い陰影またはすじの出現を減らすこと、皮膚に色艶を与えること、加齢または光により老化した皮膚の外観を改善すること、皮膚の酒さの症状の出現を減らすことから選ばれる使用のための、皮膚の色調の着色化粧品組成物であって、化粧上許容可能なビヒクルと、無機顔料、天然着色剤、合成有機モノマー着色剤、合成有機ポリマー着色剤、人工日焼け剤およびそれらの組合せからなる群から選択される少なくとも１種の着色剤とともに、蛍光を発するのに有効量の少なくとも１種の蛍光増白剤を含んでなり、前記蛍光増白剤が、スチルベンおよび４，４’−ジアミノスチルベンの誘導体；ベンゼンおよびビフェニルの誘導体；ピラゾリン類、ビス（ベンゾオキサゾール−２−イル）の誘導体、クマリン類、カルボスチリル類、ナフタルイミド類、ｓ−トリアジン類、並びにピリドトリアゾール類からなる群から選ばれる有機化合物である、前記組成物。
　【請求項８】　酸化鉄（黄色、赤色、茶色または黒色）、フェロシアン化鉄アンモニウム（青色）、マンガンバイオレット、ウルトラマリンブルー、酸化クロム（緑色）、タルク、レシチン変性タルク、ゼオライト、カオリン、レシチン変性カオリン、二酸化チタン（白色）およびこれらの組み合わせからなる群から選択される少なくとも１種の無機顔料を含んでなる請求項７に記載の組成物。
　【請求項９】　酸化鉄、二酸化チタンまたはこれらの組合せの少なくとも１つを含んでなる請求項８に記載の組成物。
　【請求項１０】　ファンデーション、ブラッシュ、コンシーラーまたはフェイシャルパウダーである請求項７に記載の組成物。
　【請求項１１】　デヒドロキシアセトンである人工日焼け剤を含む請求項７に記載の組成物。
　【請求項１２】　請求項１に記載の組成物を皮膚に塗布することを含んでなる、皮膚に色艶を与えるための、前記組成物の使用。
　【請求項１３】　請求項４に記載の組成物を皮膚に塗布することを含んでなる、皮膚に色艶を与えるための、前記組成物の使用。
　【請求項１４】　請求項７に記載の組成物を皮膚に塗布することを含んでなる、皮膚に色艶を与えるための、前記組成物の使用。
　【請求項１５】　請求項１に記載の組成物を皮膚に塗布することを含んでなる、皮膚の暗い陰影またはすじの出現を減らすための、前記組成物の使用。
　【請求項１６】　請求項４に記載の組成物を皮膚に塗布することを含んでなる、皮膚の暗い陰影またはすじの出現を減らすための、前記組成物の使用。
　【請求項１７】　請求項７に記載の組成物を皮膚に塗布することを含んでなる、皮膚の暗い陰影またはすじの出現を減らすための、前記組成物の使用。
　【請求項１８】　請求項１に記載の組成物を皮膚に塗布することを含んでなる、加齢または光により老化した皮膚の外観を改善するための、前記組成物の使用。
　【請求項１９】　請求項４に記載の組成物を皮膚に塗布することを含んでなる、加齢または光により老化した皮膚の外観を改善するための、前記組成物の使用。
　【請求項２０】　請求項７に記載の組成物を皮膚に塗布することを含んでなる、加齢または光により老化した皮膚の外観を改善するための、前記組成物の使用。
　【請求項２１】　請求項１に記載の組成物を皮膚に塗布することを含んでなる、皮膚の酒さの症状の出現を減らすための、前記組成物の使用。
　【請求項２２】　請求項４に記載の組成物を皮膚に塗布することを含んでなる、皮膚の酒さの症状の出現を減らすための、前記組成物の使用。
　【請求項２３】　請求項７に記載の組成物を皮膚に塗布することを含んでなる、皮膚の酒さの症状の出現を減らすための、前記組成物の使用。」から、
　
補正後
　「【請求項１】　皮膚に塗布するための皮膚の色調または無色の化粧品組成物に、皮膚の暗い陰影またはすじの出現を減らすこと、皮膚に色艶を与えること、加齢または光により老化した皮膚の外観を改善すること、皮膚の酒さの症状の出現を減らすことから選ばれる効果を、化粧品組成物に付与するための蛍光増白剤の使用であって、
前記化粧料組成物は、化粧上許容可能なビヒクルとともに蛍光を発するのに有効量の少なくとも１種の蛍光増白剤を含んでなる、皮膚に塗布するための皮膚の色調または無色の化粧品組成物であって、前記蛍光増白剤が、スチルベンおよび４，４’−ジアミノスチルベンの誘導体；ベンゼンおよびビフェニルの誘導体；ピラゾリン類、ビス（ベンゾオキサゾール−２−イル）の誘導体、クマリン類、カルボスチリル類、ナフタルイミド類、ｓ−トリアジン類、並びにピリドトリアゾール類からなる群から選ばれる有機化合物であることを特徴とする前記使用。
　【請求項２】　前記蛍光増白剤が無機蛍光ガラスである請求項１に記載の使用。
　【請求項３】　前記蛍光増白剤が緑色または青色の蛍光を示す請求項１に記載の使用。
　【請求項４】　前記化粧品組成物が無色化粧品である請求項１に記載の使用。
　【請求項５】　前記化粧品組成物が着色化粧品である請求項１に記載の使用。
　【請求項６】　前記化粧品組成物がファンデーション、ブラッシュまたはフェイシャルパウダーである請求項５に記載の使用。
　【請求項７】　前記化粧品組成物が、無機顔料、天然着色剤、合成有機モノマー着色剤、合成有機ポリマー着色剤、人工日焼け剤およびそれらの組合せからなる群から選択される少なくとも１種の着色剤を含むものである、請求項１に記載の使用。
　【請求項８】　前記化粧品組成物が、酸化鉄（黄色、赤色、茶色または黒色）、フェロシアン化鉄アンモニウム（青色）、マンガンバイオレット、ウルトラマリンブルー、酸化クロム（緑色）、タルク、レシチン変性タルク、ゼオライト、カオリン、レシチン変性カオリン、二酸化チタン（白色）およびこれらの組み合わせからなる群から選択される少なくとも１種の無機顔料を含むものである、請求項７に記載の使用。
　【請求項９】　前記化粧品組成物が、酸化鉄、二酸化チタンまたはこれらの組合せの少なくとも１つを含むものである、請求項８に記載の使用。
　【請求項１０】　前記化粧品組成物が、ファンデーション、ブラッシュ、コンシーラーまたはフェイシャルパウダーである、請求項７に記載の使用。
　【請求項１１】　前記化粧品組成物が、デヒドロキシアセトンである人工日焼け剤を含むものである、請求項７に記載の使用。」
と補正された。
　
　上記補正前後の発明特定事項を対比すると、上記補正は、補正前の請求項１〜１１に係る「組成物」の発明を、カテゴリーを変更し補正後の請求項１〜１１の「・・の効果を、化粧品組成物に付与するための蛍光増白剤の使用」の発明に補正し、補正前の請求項１２〜２３の「組成物の使用」の発明を削除するものである。
　
　ところで、本件補正は、特許法第１２１条第１項の審判［拒絶査定不服審判］を請求する場合において、その審判の請求の日から３０日以内にされたものであって、同法第１７条の２第１項第４号の補正に該当する。
　そして、そのような補正は、平成１８年法律第５５号改正附則第３条第１項によりなお従前の例によるとされる同法による改正前（以下、単に「平成１８年改正前」ともいう。）の特許法第１７条の２第４項各号に規定する事項を目的にするものに限られているところ、補正前の請求項１２〜２３を削除する補正は平成１８年改正前特許法第１７条の２第４項の請求項の削除（１号）に該当するが、本件補正の請求項１〜１１に係る補正は、カテゴリーの変更を伴うものであり、平成１８年改正前特許法第１７条の２第４項各号の規定である請求項の削除（１号）、特許請求の範囲の減縮（２号）、誤記の訂正（３号）、明りょうでない記載の釈明（４号）のいずれにも該当しない。
　
　これに対し、請求人は、審判請求理由（平成１８年４月２８日付け補正書（方式）参照）において「補正前の特許請求の範囲に記載された範囲において、クレームのカテゴリーを補正したものであって、新たな調査や審査負担を要することなく特許可能な請求項を導くものであり、１７条の２第４項の立法趣旨に適うことをご理解願います。」と主張しているが、このような主張が採用出来ないことは、上記のとおり明らかである。
　
　したがって、本件補正は、平成１８年改正前特許法第１７条の２第４項各号の規定を満たしていないため同条第４項の規定に違反するものであるから、同法第１５９条第１項において読み替えて準用する同法第５３条第１項の規定により却下すべきものである。
　
 ３．本願発明について
　平成１８年３月２２日付けの手続補正は、上記のとおり却下されたので、本願の請求項１〜２３にかかる発明は、平成１５年１０月１日付け手続補正書の特許請求の範囲の請求項１〜２３に記載された事項により特定されるとおりのものと認められるところ、そのうち請求項１に係る発明（以下、同項記載の発明を「本願発明」という。）は、次のとおりである。
　「【請求項１】　皮膚の暗い陰影またはすじの出現を減らすこと、皮膚に色艶を与えること、加齢または光により老化した皮膚の外観を改善すること、皮膚の酒さの症状の出現を減らすことから選ばれる使用のための、化粧上許容可能なビヒクルとともに蛍光を発するのに有効量の少なくとも１種の蛍光増白剤を含んでなる、皮膚に塗布するための皮膚の色調または無色の化粧品組成物であって、前記蛍光増白剤が、スチルベンおよび４，４’−ジアミノスチルベンの誘導体；ベンゼンおよびビフェニルの誘導体；ピラゾリン類、ビス（ベンゾオキサゾール−２−イル）の誘導体、クマリン類、カルボスチリル類、ナフタルイミド類、ｓ−トリアジン類、並びにピリドトリアゾール類からなる群から選ばれる有機化合物である前記組成物。」
　
（１）引用例
　これに対し、原査定の拒絶の理由に引用された、本願出願の優先権主張日前の出願であって、その出願後に出願公開された特願平１１−１３３１９６号（特開２０００−１４１７号公報参照，平成１２年１月７日公開、平成１１年５月１３日出願；なお、優先権主張はあるが検討を要しない。）の願書に最初に添付した明細書（以下「先願明細書」という。）には、次のことが記載されている。なお、下線は、当審で付与した。
　
　（i）「【請求項１】  組成物中での、または組成物の調製における、
幻視光沢剤（optical brightner）群に属する少なくとも一の化合物の使用
この組成物が皮膚の明色化を目的とする
【請求項２】  組成物が
皮膚の即時明色化を目的とする
【請求項３】  組成物中での、または組成物の調製における、幻視光沢剤群に属する少なくとも一の化合物の使用であって、この組成物が、一様さ、同質性、透明性、雪花石膏のように滑らかな外観より選択される少なくとも一の特質を顔色に与えることを目的とすることを特徴とする使用。
【請求項４】  アジア人の皮膚の手入れを目的とすることを特徴とする請求項１から３のいずれか一項に記載の使用。
【請求項５】  組成物中での、または組成物の調製における、
幻視光沢剤群に属する少なくとも一の化合物の使用であって、この組成物が、コンシーラー組成物である
【請求項６】  白人の皮膚の手入れを目的とすることを特徴とする請求項５に記載の使用。
【請求項７】  幻視光沢剤が、ＵＶＡ領域の３００から３９０nmにて吸光し、４００から５２５nmにて発光する化合物より選択されることを特徴とする請求項１から６のいずれか一項に記載の使用。
【請求項８】  
幻視光沢剤が、スティルベン誘導体、クマリン誘導体、オキサゾール誘導体、ベンズオキサゾール誘導体及びイミダゾール誘導体より選択される
【請求項９】〜【請求項１５】　・・・中略・・・
【請求項１６】  幻視光沢剤群に属する少なくとも一の化合物及び剥落剤より選択される少なくとも一の化合物を含むことを特徴とする組成物。
【請求項１７】  皮膚の明色化を目的とすることを特徴とする請求項１３から１６のいずれか一項に記載の組成物。
【請求項１８】  幻視光沢剤群に属する少なくとも一の化合物及び少なくとも一の保湿剤を含むことを特徴とする組成物。
【請求項１９】  幻視光沢剤群に属する少なくとも一の化合物及び少なくとも一の皺防止剤を含むことを特徴とする組成物。
【請求項２０】  
目の下の影の予防及び／または処理を目的とする
　（ii）「【０００１】
【発明の属する技術分野】本発明は、局所適用のための化粧品組成物中、または
皮膚科用組成物の調製のための幻視光沢剤（optical brightner）群の化合物の使用に関し、この組成物は、優れた一様さ、優れた同質性、優れた透明性、雪花石膏のように滑らかな外観及び優れた白さを顔色に与える特性を有する
この組成物はまた、シャドウコンシーリング特性を有する
　（iii）「【０００９】顔色を一様にすること及び即時に白い外観を与えることの可能な化粧品組成物を使用することは既知の習慣であるが、これらの組成物は結合剤中に分散したパウダーからなる。これらのパウダーは、一般的に、所望の効果によって白色または有色の含量を含有し、ラメラ型の充填剤あるいはまた小板形態のシリカを含有する。顔色を一様にする作用は、主としてラメラ型の充填剤によって供されるカバーパウダーによって得られる。
【００１０】こうした組成物の欠点は、皮膚欠陥のむらを隠すことが、概組成物のカバー力によって供される点である。この方法においてメイクアップした皮膚は、これらの組成物の透明性の欠如によって自然な外観を失う。
【００１１】これらの組成物の透明性を増大させる手段として、ラメラ充填剤を使用することも検討される（米国特許４，８９９，１６３号参照）、これらは光を反射し、皮膚に不自然な光沢のある外観を与えるという欠点を有する。」（段落【０００９】〜【００１１】参照）
　（iv）「【００１４】
【課題を解決するための手段及び発明の実施の形態】本発明の主題は、皮膚の明色化、特に
皮膚の即時明色化を目的とする
【００１５】
特に、この組成物は、化粧品組成物である
スキンケア組成物であることが好ましい
　（v）「【００１７】
幻視光沢剤は、当業者には良く知られた化合物である。こうした化合物は“Fluorescent Whitening Agent
主としてＵＶ領域の３００から３９０nmにて吸光し、４００から５２５nmにて発光する化合物と定義可能
【００１８】
幻視光沢剤の中で、特に重要なものは、スティルベン誘導体、クマリン誘導体、オキサゾール及びベンズオキサゾール誘導体及びイミダゾール誘導体である
【００１９】本発明により好ましく使用される幻視光沢剤は、ナトリウム=
４，４’-ビス
アミノ]スティルベン
ビス
ベンズオキサゾール
　（vi）「【００２０】本発明の主題はまた、皮膚明色化剤として、特に即時明色化剤として、及び／または、一様さ、同質性、透明性及び雪花石膏のように滑らかな外観より選択される少なくとも一の特性を皮膚に与えることを目的とする剤としての、組成物中または組成物の調製のための幻視光沢剤群の少なくとも一の化合物の使用である。本発明の主題はまた、コンシーラーとしての、組成物中または組成物の調製のための幻視光沢剤群の少なくとも一の化合物の使用である。
【００２１】このように、
目の周囲表面が暗色、さらには灰色または黒色に見えること及び／または目の下のたるみの存在及び／または目の輪郭の外観上の衰えによる目の周りの影は、本発明の組成物を適用することにより減少または喪失可能である
　（vii）「【００４１】最後に、本発明の主題は、皮膚の即時明色化方法であり、この方法は、
少なくとも一の幻視光沢剤を含む化粧品組成物を皮膚に適用する
【００４２】本発明により使用される
幻視光沢剤を含有する組成物には、通常局所適用に使用されるあらゆる製薬形態、例えば、溶液、ゲル、ローションまたは漿液の形態の分散物、液体または乳剤タイプの準液体の堅さをもち、水相中に脂肪相を分散させること（Ｏ／Ｗ）またはその逆（Ｗ／Ｏ）によって得られるエマルション、またはクリームまたはゲルタイプのソフトで準固体または固体の堅さをもつ懸濁液またはエマルション、あるいはまた、ミクロエマルション、ミクロカプセルミクロ粒子またはイオン性及び／または非イオン性タイプの小胞分散物等の形態が可能である
【００４３】既知の通り、本発明の組成物、特に化粧品組成物は、化粧品の分野で一般的な補助剤、例えば、乳化剤、親水性または親油性のゲル化剤、親水性または親油性の活性剤、保存料、抗酸化剤、香料、充填剤及び染料等を含有可能である。これらの様々な補助剤の量は、化粧品の分野で従来使用されている通りであり、例えば組成物全重量の０．０１から２０％である。その性質により、これらの補助剤は脂肪相、水相及び／または脂質小胞に導入可能である。
」（段落【００４１】〜【００４３】参照）
　（viii）「【００５０】これらの
組成物は特に、顔、手または全身のための処理または手入れ用クリーム、スキンケアまたは皮膚処理用の保護または手入れ用ボディミルクまたはローション、ゲルまたはムースを構成する
　（ix）「【００５１】以下の実施例は、本発明を詳説する。これらの実施例中、示した割合は重量％である。
【００５２】
【実施例】
（実施例１：Ｏ／Ｗ流動クリーム）
・２−エチルヘキシルパーミタート　　　　　　　　　　　　８％
・流動ワセリン　　　　　　　　　　　　　　　　　　　　　８％
・グリセリル=モノ／ジイソステアラート　　　　　　　　　　２％
・グリセリル=モノ／ジイソステアラート、ステアリン酸及び
  グリセリンの混合物（４０／５０／５／５）　　　　　　　２％
・ナトリウム=
４，４’-ビス
　-１，３，５-トリアジン-２-イル）
アミノ]スティルベン
　-２，２’-ジスルホナート*　　　　　　　　　　　　　　　１％
・トリエタノールアミン　　　　　　　　　　　　　　　　　０．９％
・プロピレングリコール　　　　　　　　　　　　　　　　　２％
・ステアリン酸　　　　　　　　　　　　　　　　　　　　　２％
・ステアリン酸マグネシウム　　　　　　　　　　　　　　　２％
・保存料　　　　　　　　　　　　　　　　　　　　　　　　適量
・水　　　　　　　　　　　　　　　　　　　　１００gまでの残量
* Chiba Geigy社製“Tinopal SOPR”
【００５３】（実施例２：Ｏ／Ｗ流動クリーム）スティルベン誘導体を、Chiba Geigy社より“Uvitex 0BR”の名で市販の２，５-チオフェンジイルビス（５-tert-ブチル-１，３-ベンズオキサゾール）１％と置き換えた以外は、実施例１と同様の成分を用いてクリームを調製した。これら二つのクリームをアジア人の女性に試用したところ、その
即時明色化効果及びその透明性について、非常に高く評価された。これら二つのクリームは、皮膚に雪花石膏のように滑らかな外観を与えた
【００５４】
  （実施例３：目の周囲のための
コンシーラークリーム
・ヒアルロン酸ナトリウム　　　　　　　　　　　　　　　　０．１％
・ナトリウム=
４，４’-ビス
　-１，３，５-トリアジン-２-イル）
アミノ]スティルベン
　-２，２’-ジスルホナート* 　　　　　　　　　　　　　　７％
・アンモニア水で部分的に中性化された架橋アクリルアミド
  メチルプロパンスルホン酸　　　　　　　　　　　　　　　１．５％
・グリセリン　　　　　　　　　　　　　　　　　　　　　　５％
・エチルアルコール　　　　　　　　　　　　　　　　　　　５％
・オキシエチレン化メチルグルコースジオレアート（120 EO）０．５％
・オキシエチレン化ソルビタンモノラウラート（20 EO）　　　０．５％
・保存料　　　　　　　　　　　　　　　　　　　　　　　　適量
・水　　　　　　　　　　　　　　　　　　　　１００gまでの残量
* Chiba Geigy社製“Tinopal SOP”
【００５５】（実施例４：目の周囲のためのコンシーラークリーム）“Tinopal SOP”を１％のみ用いて実施例３を繰り返した。実施例３及び４の二つのコンシーラー組成物を白人女性の皮膚に試用した。いずれにも、
即時の、自然で明らかなシャドウコンシーリング効果が得られた。顔の皮膚が均一に着色され、シミが薄くなって見え、目の周りの衰えが目立たなくなった。
　
（２）対比、判断
　引用例１には、前記「（２）」の摘示記載（例えば、摘示（i），（iv），（v），（vii）参照）からみて、次の発明（以下、「先願発明」という。）が開示されていると認められる。
　「スティルベン誘導体、クマリン誘導体、オキサゾール誘導体、ベンズオキサゾール誘導体及びイミダゾール誘導体より選択される幻視光沢剤に属する少なくとも一つの化合物を配合した、皮膚に塗布する化粧品組成物。」
　
　そこで、本願発明と先願発明を対比する。
　（ａ）先願発明の「幻視光沢剤」は、ＵＶ領域にて吸光し４００から５２５ｎｍにて発光する化合物である（摘示（v）参照）から、本願発明の「蛍光増白剤」に相当する。
　（ｂ）先願発明の幻視光沢剤の「スティルベン誘導体、クマリン誘導体、オキサゾール誘導体、ベンズオキサゾール誘導体及びイミダゾール誘導体」は、スティルベン誘導体として４，４’−ビスアミノスチルベン誘導体が例示され実施例で使用されていること（摘示（v），（ix）参照）も勘案すると、本願発明の蛍光増白剤の「スチルベンおよび４，４’−ジアミノスチルベンの誘導体；ベンゼンおよびビフェニルの誘導体；ピラゾリン類、ビス（ベンゾオキサゾール−２−イル）の誘導体、クマリン類、カルボスチリル類、ナフタルイミド類、ｓ−トリアジン類、並びにピリドトリアゾール類からなる群から選ばれる有機化合物」のうち少なくとも「４，４’−ジアミノスチルベンの誘導体」と「クマリン類」に相当し、それらが有機化合物であることも明白である。
　（ｃ）本願発明の「化粧上許容可能なビヒクル」とはどのようなものか本願明細書には明示的記載はないが、「蛍光増白剤は、フェイシャル化粧品組成物に通常使用されるいかなる種類のビヒクルにも配合できる。例えば、蛍光増白剤を、溶液、コロイド分散液、エマルション（水中油滴型または油中水滴型）、懸濁液、パウダー、クリーム、ローション、ジェル、フォーム、ムース、スプレーなどに加えることができる。」（本願明細書段落【００１１】参照）との説明が見られる。これに対し、先願明細書には、「本発明により使用される幻視光沢剤を含有する組成物には、通常局所適用に使用されるあらゆる製薬形態、例えば、溶液、ゲル、ローションまたは漿液の形態の分散物、液体または乳剤タイプの準液体の堅さをもち、水相中に脂肪相を分散させること（Ｏ／Ｗ）またはその逆（Ｗ／Ｏ）によって得られるエマルション、またはクリームまたはゲルタイプのソフトで準固体または固体の堅さをもつ懸濁液またはエマルション、あるいはまた、ミクロエマルション、ミクロカプセルミクロ粒子またはイオン性及び／または非イオン性タイプの小胞分散物等の形態が可能で」（摘示（vii）の【００４２】参照）とされているから、先願明細書に「化粧上許容可能なビヒクル」との表現はなくとも、実質的に先願発明に「化粧上許容可能なビヒクル」は適宜使用されるものというべきであり、その点で両発明に実質的な差異は無いといえる。
　（ｄ）先願発明は、剥落剤や保湿剤、皺防止剤、その他の各種補助剤が配合され得る（摘示（i），（vii）など参照）が、本願発明もまた顔料や色素、日焼け止め剤、しわ防止剤など各種追加の剤が配合され得るものであり（本願明細書段落【００１２】，【００１５】など参照）、本願発明の実施例Ｉでも各種酸化鉄やシリカ、タルクなど各種剤が配合されている（同書段落【００１８】の表を参照）から、その点に関し両発明に実質的な相違はない。
　
　してみると、両発明は、少なくとも、
　「化粧上許容可能なビヒクルとともに少なくとも１種の蛍光増白剤を含んでなる、皮膚に塗布するための化粧品組成物であって、前記蛍光増白剤が、４，４’−ジアミノスチルベンの誘導体、クマリン類からなる群から選ばれる有機化合物である前記組成物。」
で一致する。　
　しかし、本願発明は、更に次の（Ａ）〜（Ｃ）の発明特定事項を有している。
　（Ａ）「皮膚の暗い陰影またはすじの出現を減らすこと、皮膚に色艶を与えること、加齢または光により老化した皮膚の外観を改善すること、皮膚の酒さの症状の出現を減らすことから選ばれる使用のための」
　（Ｂ）該化粧品組成物が、「皮膚の色調または無色」であること
　（Ｃ）該蛍光増白剤が、「蛍光を発するのに有効量」であること
　
　そこで、以下、これらの発明特定事項が先願明細書に開示されているか検討する。
　
（Ａ）の発明特定事項について
　　本願発明は、「ファンデーション、ブラッシュまたはフェイシャルパウダー」（本願明細書の請求項１０など）、「人工日焼け組成物」（同書の段落【００１４】）、「スキントリートメント製品」（同書の段落【００１５】）、「目の下の隈など特に気にかかる部分に塗布して」（同書段落【００１６】）などに使用することが記載されている。
　このような使用は、先願発明の「スキンケア組成物」（摘示（iv））、「コンシーラーとして」（摘示（vi））、「目の下のたるみの存在及び／または目の輪郭の外観上の衰えによる目の周りの影は、本発明の組成物を適用することにより減少または喪失可能である」（摘示（vi））、「目の下の影の予防及び／または処理を目的とする」（摘示（i）の【請求項２０】）との使用と実質的に重複するものと認められる。
　してみると、両発明の組成物は用途として区別することができないものであり、本願発明が新たな用途を提示するものとは言えないから、（Ａ）の発明特定事項の有無によって実質的な相違があるということはできない。
　
　しかも、先願明細書には、（Ａ）の発明特定事項の表現そのままの記載はないものの、「目の下の影の予防及び／または処理を目的とする」（摘示（i）の【請求項２０】）、「目の周囲表面が暗色、さらには灰色または黒色に見えること及び／または目の下のたるみの存在及び／または目の輪郭の外観上の衰えによる目の周りの影は、本発明の組成物を適用することにより減少または喪失可能である。」（摘示（vi）の段落【００２１】）、皮膚に先願発明の組成物を適用した実施例において「即時明色化効果及びその透明性について、非常に高く評価された。これら二つのクリームは、皮膚に雪花石膏のように滑らかな外観を与えた」（摘示（ix）の実施例２）、「即時の、自然で明らかなシャドウコンシーリング効果が得られた。顔の皮膚が均一に着色され、シミが薄くなって見え、目の周りの衰えが目立たなくなった。」（摘示（ix）の実施例４）と記載されている。
　これらの記載は、本願発明で特定する「「皮膚の暗い陰影またはすじの出現を減らすこと」、「皮膚に色艶を与えること」、「加齢または光により老化した皮膚の外観を改善すること」と表現が異なるものの、実質的に重複するものと解するべきである。
　なお、「皮膚の暗い陰影またはすじの出現を減らすこと、皮膚に色艶を与えること、加齢または光により老化した皮膚の外観を改善すること、皮膚の酒さの症状の出現を減らすことから選ばれる使用のための」との特定は、「選ばれる」とされていること、また、本願請求項１５に「皮膚の暗い陰影またはすじの出現を減らすための」、同請求項１２に「皮膚に色艶を与えるための」、同請求項１８に「加齢または光により老化した皮膚の外観を改善するための」、同請求項２１に「皮膚の酒さの症状の出現を減らすための」、組成物の使用がそれぞれ独立して請求されていることに鑑みると、それらの作用のいずれか一つあれば足りるものと解される。
　
　よって、（Ａ）の発明特定事項は、先願明細書に実質的な開示があるというべきである。
　
　なお、審尋に対する回答書（平成２１年４月２３日付け）において、請求人は、先願明細書の段落【０００１】に「
優れた白さ
　しかし、先願発明は、例えば「即時明色化効果」（摘示（i），（iv），（ix））と記載されているように即時の効果であって、「美白効果」や「漂白効果」を目的とするものではないから、前記請求人の主張は失当であり採用できない。
　
（Ｂ）の発明特定事項について
　　先願明細書では、「本発明の組成物は、メイクアップ組成物または髪への適用を意図した組成物よりも、スキンケア組成物であることが好ましい。」（摘示（iv）の段落【００１５】）とされ、「組成物は特に、顔、手または全身のための処理または手入れ用クリーム、スキンケアまたは皮膚処理用の保護または手入れ用ボディミルクまたはローション、ゲルまたはムースを構成する」（摘示（viii））、コンシーラーとして用いる（摘示（vi））とされていて、格別に着色を意図するものではないこと、および、実施例１〜４の化粧品組成には着色剤が配合されておらず無色相当と認められること、実施例２において「透明性について、非常に高く評価された」と記載されていることを勘案すると、先願発明の化粧品組成物として、無色またはそれに類する色とすることは実質的な開示があるといえる。
　よって、（Ｂ）の発明特定事項は、先願明細書に実質的な開示があるというべきである。
　
（Ｃ）の発明特定事項について
　　幻視光沢剤、即ち蛍光増白剤として用いるのであり、ＵＶ領域にて吸光し４００から５２５ｎｍにて発光するのであるから、「蛍光を発するのに有効量」で用いることは当然のことである。
　よって、（Ｃ）の発明特定事項は、先願明細書に実質的な開示があるというべきである。
　
　以上のとおりであるから、先願発明は、本願発明の発明特定事項を実質的にすべて開示しているといえる。
　
（３）むすび
　したがって、本願発明は、先願明細書に記載された発明と同一であり、しかも、本願出願の発明者が上記先願明細書に記載された発明の発明者と同一であるとも、また、本願の出願時に、その出願人が上記特許出願の出願人と同一であるとも認められないので、本願発明は、特許法第２９条の２の規定により特許を受けることができない。
　それ故、本願は、他の請求項について論及するまでもなく拒絶すべきものである。
　よって、結論のとおり審決する。